(57)【要約】【課題】簡易な方法で確実に適正な操作者に操作をさせることができる物品検査装置を提供する。【解決手段】搬送部によって搬送される被検査物の品質データを取得し、予め設定された基準値と品質データとを比較して被検査物の品質の良否を検査する重量選別機において、アンテナセクション６ａを有し、重量選別機を操作する操作者がアンテナセクション６ａに近接したときに、操作者の人体を通信媒体として操作者に装着された端末Ｔとの間で操作者の操作項目に関する情報を含む操作情報を通信する通信部６と、通信部６により通信された操作情報に基づいて操作者の操作項目を規制する規制部７とを備えたことを特徴とする。【選択図】図４
2014071072.tif 000002
【特許請求の範囲】
【請求項１】
搬送手段（３）によって搬送される被検査物（Ｗ）の品質データを取得し、予め設定された基準値と前記品質データとを比較して前記被検査物の品質の良否を検査する物品検査装置において、
アンテナを有し、前記物品検査装置を操作する操作者が前記アンテナに近接したときに、前記操作者の人体を通信媒体として前記操作者に装着された端末（Ｔ）との間で前記操作者の操作項目に関する情報を含む操作情報を通信する通信手段（６）と、
前記通信手段により通信された前記操作情報に基づいて前記操作者の前記操作項目を規制する規制手段（７）とを備えたことを特徴とする物品検査装置。
【請求項２】
前記規制手段が、前記通信手段により通信された前記操作情報に含まれる操作者種別に関する属性情報に基づいて前記操作項目を規制することを特徴とする請求項１に記載の物品検査装置。
【請求項３】
表示手段（８）を有し、
前記操作者種別に関する前記属性情報が、複数の操作項目を含む属性情報であるとき、前記表示手段が、複数の前記操作項目が含まれる操作メニューを表示することを特徴とする請求項２に記載の物品検査装置。
【請求項４】
前記規制手段は、前記操作者に装着された前記端末との間で通信された前記操作情報に含まれる行動記録が、予め定められた行動内容から逸脱しているとき、対応する前記操作項目を実行させないよう規制することを特徴とする請求項１ないし請求項３のいずれか１つの請求項に記載の物品検査装置。
【請求項５】
前記規制手段が、前記通信手段により通信された前記操作情報に含まれる操作者に対応した認証情報に基づいて前記操作項目を規制することを特徴とする請求項１に記載の物品検査装置。
【請求項６】
前記通信手段は、前記操作者が実行した操作に関する操作実行情報を行動記録として前記操作者に装着された前記端末に書き込むよう通信することを特徴とする請求項１ないし請求項５のいずれか１つの請求項に記載の物品検査装置。
【請求項７】
前記表示手段は、前記操作者に装着された前記端末との間で通信された前記操作情報に含まれる前記操作者の行動記録の内容を表示することを特徴とする請求項１ないし請求項６のいずれか１つの請求項に記載の物品検査装置。
【発明の詳細な説明】
【技術分野】
【０００１】
本発明は、例えば、生肉、魚、加工食品、医薬などの被検査物の品質を検査する物品検査装置に関し、特に、適正な操作者によって操作されるようにした物品検査装置に関する。
【背景技術】
【０００２】
従来、被検査物の品質を検査する物品検査装置として、重量選別機、Ｘ線異物検出装置、金属検出装置などの検査装置が知られている。
このような従来の重量選別機は、搬送される被検査物の質量を測定し、得られた測定値が基準範囲内にあるか否かを判定し、基準範囲内の良品とそれ以外の不良品とを選別している。また、従来のＸ線異物検出装置は、搬送される被検査物にＸ線を照射し、この照射したＸ線の透過量から被検査物中に異物が混入しているか否かを検出している。また、従来の金属検出機は、搬送ラインに交番磁界を発生させておき、交番磁界中を各品種の被検査物を通過させ、磁界を通過しているときの検波出力から金属が混入しているか否かを検出している。
【０００３】
これらの物品検査装置においては、装置の感度や精度を維持し検査の信頼性を高めるため、装置を操作する作業者の操作内容をレベル毎に区分けし、その作業者のレベルの認証を行って、その作業者に指定された操作のみできるようにしたものが普及している。
この物品検査装置として、例えば、操作部から入力されたログイン名と、記録部に記録されている認証情報とを比較して、検査前の動作確認テストを行うテスト担当者と被検査物の検査を行う検査担当者とを認証する重量選別装置が知られている（例えば、特許文献１参照）。
この重量選別装置においては、認証情報を記録したカードキーにより認証するカードキー認証、作業者の指紋により認証する指紋認証および作業者の網膜により認証する網膜認証などの認証方法により担当者を認証し、各担当者による適正な操作が行われるようにしている。
【先行技術文献】
【特許文献】
【０００４】
【特許文献１】特開２００８−２９６２０１号公報
【発明の概要】
【発明が解決しようとする課題】
【０００５】
しかしながら、特許文献１に記載の重量選別装置においては、頻繁な個人認証を必要とする場合には認証の操作が煩わしく手間がかかってしまうという問題があった。特に、食品を扱う食品検査ラインに設置された物品検査装置の場合、装置に多数の担当者がかかわることが多く、食品の安全性の観点から装置を操作する担当者のより頻繁な認証の必要が高まってきている。一方、食品に対する衛生面から、担当者は、全身が露出しないよう、白衣、マスク、ゴーグル、手袋、長靴などの衛生用具を装着する必要がある。このような食品検査ラインなどの環境に設置された重量選別装置などの物品検査装置において、認証をする場合、カードキー認証、指紋認証および網膜認証などの認証方法のいずれも認証に手間がかかり全体の作業効率が低下してしまうという問題があった。
【０００６】
本発明は、上述のような従来の問題を解決するためになされたもので、簡易な方法で確実に適正な操作者に操作をさせることができる物品検査装置を提供することを課題とする。
【課題を解決するための手段】
【０００７】
本発明に係る物品検査装置においては、上記課題を解決するため、（１）搬送手段によって搬送される被検査物の品質データを取得し、予め設定された基準値と前記品質データとを比較して前記被検査物の品質の良否を検査する物品検査装置において、アンテナを有し、前記物品検査装置を操作する操作者が前記アンテナに近接したときに、前記操作者の人体を通信媒体として前記操作者に装着された端末との間で前記操作者の操作項目に関する情報を含む操作情報を通信する通信手段と、前記通信手段により通信された前記操作情報に基づいて前記操作者の前記操作項目を規制する規制手段とを含んで構成される。
【０００８】
以上の構成により、本発明に係る物品検査装置においては、従来の物品検査装置と比較して簡易な方法で適正な操作者に操作をさせることができる。すなわち、従来の物品検査装置においては、操作者を認証をする場合、カードキー認証、指紋認証および網膜認証などの認証方法がとられているため、認証機構も比較的複雑な構成となるとともに、認証に手間がかかり全体の作業効率が低下してしまうという課題があった。
【０００９】
これに対して、本発明に係る物品検査装置は、人体を通信媒体として通信が実行されるので、操作者が物品検査装置の通信手段のアンテナに近接しないと認証が行われないので、近隣に存在する複数の作業者の中から意図した作業者を正確に認証することができる。また、アンテナに近接するだけで、通信手段と人体との間に電界が形成され、瞬時に操作情報の通信をすることができる。
【００１０】
特に、物品検査装置が、食品を扱う食品検査ラインに設置された場合、より効果が発揮される。すなわち、食品に対する衛生面から、操作者は、全身が露出しないよう、白衣、マスク、ゴーグル、手袋、長靴などの衛生用具を装着することが必要となる。この場合、指紋認証では手袋を外さなければならず、網膜認証ではゴーグルを外さなければならなくなり、認証が面倒なものとなってしまう。
本発明に係る物品検査装置の場合は、手袋を外す必要もなく、ゴーグルを外す必要もないので、極めて簡単な方法で適正な操作者に操作をさせることができる。
また、本発明に係る物品検査装置においては、操作者に装着された端末は、操作者の外部に露出している必要がなく、取り出す必要もないので、操作者の衣服の内側、例えば、内ポケットに装着することができ、端末の落下や紛失のおそれがなくなる。また、端末は、腕や足などの人体の任意の部位に装着することができ、使い勝手が良好になる。
【００１１】
本発明に係る物品検査装置の場合においては、通信手段により通信された操作情報に基づいて操作者の操作項目を規制する規制手段を備えているので、操作項目、すなわち、「運転停止」、「品種切替」、「動作確認」、「検出感度変更」、「品種登録」、「保守」という操作者固有の認証以外の操作情報に基づいて、物品検査装置を操作する者に対して操作項目を規制することができ、物品検査装置に、より適合したきめ細かな管理ができ、より適正な操作者に物品検査装置を操作させることができる。
【００１２】
また、本発明に係る物品検査装置においては、（２）前記規制手段が、前記通信手段により通信された前記操作情報に含まれる操作者種別に関する属性情報に基づいて前記操作項目を規制するようにしてもよい。
【００１３】
以上の構成により、本発明に係る物品検査装置においては、規制手段が、通信手段により通信された操作情報に含まれる操作者種別に関する属性情報に基づいて操作項目を規制することができるので、例えば、操作しようとする重量選別機が複数ある場合や、他の金属検出装置やＸ線異物検出装置がある場合など、各装置に対応した適正な操作者に操作させることができ、検出精度の向上や品質の安定の向上を図ることができる。例えば、操作者の操作対象機器を特定する属性や、操作者の行動記録を属性とすることにより、各装置に適した者に操作を許容することができる。他方、行動記録の識別により装置の操作に適さない者を、操作させないよう規制手段により規制することもでき、検査などの品質の向上を図ることができる。
【００１４】
また、操作者種別に関する属性情報に優先操作項目のような優先的に操作項目を選択する項目が含まれていると、ワンタッチで簡単に自己の操作項目を選択することができる。この優先操作項目は、物品検査装置を操作して被検査物を検査する際の数多くの操作項目の中から優先的に操作できるものとして選択して表示することができる。したがって、物品検査装置を操作する操作者は、例えば、表示画面に表示された優先操作項目をタッチすることにより、その操作項目を実行させることができ、数多くある操作項目の中から一つを選択する煩わしさから解放され、ワンタッチで簡単に操作することができる。
【００１５】
また、本発明に係る物品検査装置においては、（３）表示手段を有し、前記操作者種別に関する前記属性情報が、複数の操作項目を含む属性情報であるとき、前記表示手段が、複数の前記操作項目が含まれる操作メニューを表示するようにしてもよい。
【００１６】
以上の構成により、本発明に係る物品検査装置においては、操作者種別に関する属性情報が、複数の操作項目を含む属性情報であるとき、表示手段に、複数の操作項目が含まれる操作メニューが表示されるので、操作者は、自分の属性を容易に把握することができる。また、本発明に係る物品検査装置においては、例えば、表示された複数の操作項目である「運転停止」、「品種切替」、「動作確認」、「検出感度変更」、「品種登録」、「保守」から操作しようとする操作項目を簡単に選択することができる。この場合に、操作者の個別の認証を必要としないので、簡単な方法で、適正な者に物品検査装置を操作させることができる。
【００１７】
また、本発明に係る物品検査装置においては、（４）前記規制手段は、前記操作者に装着された前記端末との間で通信された前記操作情報に含まれる行動記録が、予め定められた行動内容から逸脱しているとき、対応する前記操作項目を実行させないよう規制するよう構成してもよい。
【００１８】
以上の構成により、本発明に係る物品検査装置においては、規制手段は、操作者に装着された端末との間で通信された行動記録が、予め定められた行動内容から逸脱しているとき、対応する操作項目を実行させないよう規制することができる。その結果、機器の操作に不敵切な者を操作させないよう規制することができ、より品質の高い検出を実行することができる。
【００１９】
また、本発明に係る物品検査装置においては、（５）前記規制手段が、前記通信手段により通信された前記操作情報に含まれる操作者に対応した認証情報に基づいて前記操作項目を規制するようにしてもよい。
【００２０】
以上の構成により、本発明に係る物品検査装置においては、通信手段により通信された操作情報に含まれる操作者に対応した認証情報に基づいて操作項目を規制することも可能となり、規制方法の選択の態様が広くなり、機器の操作や機器の管理方法の幅が広がる。
【００２１】
また、本発明に係る物品検査装置においては、（６）前記通信手段は、前記操作者が実行した操作に関する操作実行情報を行動記録として前記操作者に装着された前記端末に書き込むよう通信するようにしてもよい。
【００２２】
以上の構成により、本発明に係る物品検査装置においては、通信手段は、操作者が実行した操作に関する操作実行情報を行動記録として操作者に装着された端末に書き込むよう通信することができるので、操作者に関する機器の操作の熟練度や適正さを把握することができる。端末に書き込まれた操作実行情報は、通信手段との通信により、物品検査装置で活用することができ、より適正な操作者に操作させることができる。
【００２３】
また、本発明に係る物品検査装置においては、（７）前記表示手段は、前記操作者に装着された前記端末との間で通信された前記操作情報に含まれる前記操作者の行動記録の内容を表示するようにしてもよい。
【００２４】
以上の構成により、本発明に係る物品検査装置においては、表示手段には、操作者に装着された端末との間で通信された操作情報に含まれる操作者の行動記録の内容が表示されるので、操作者は、自己の行動記録を容易に把握することができる。
【発明の効果】
【００２５】
本発明に係る物品検査装置によれば、人体を通信媒体として通信するという簡易な方法で確実に適正な操作者に操作をさせることができる物品検査装置を提供することができる。
【図面の簡単な説明】
【００２６】
【図１】実施形態に係る重量選別機を示す斜視図である。
【図２】実施形態に係る重量選別機を示すブロック図である。
【図３】実施形態に係る重量選別機の通信部に人体が近接した例を示す斜視図である。
【図４】実施形態に係る重量選別機の通信部の概略構成図である。
【図５】実施形態に係る重量選別機が設置された生産工場のレイアウト図である。
【図６】実施形態に係る重量選別機の規制部で使うテーブルの図である。
【図７】実施形態に係る重量選別機の表示部の表示例を示す平面図である。
【図８】実施形態に係る重量選別機の表示部の表示例を示す平面図である。
【図９】実施形態に係る重量選別機の運転の一例を示すフローチャートである。
【図１０】実施形態に係る重量選別機の運転の一例を示すフローチャートである。
【図１１】実施形態に係る重量選別機の表示部の表示例を示す平面図である。
【発明を実施するための形態】
【００２７】
以下、本発明に係る物品検査装置の実施形態について図面を参照して説明する。
（実施形態）
図１〜図１０は、本発明に係る物品検査装置を重量選別機１に適用した実施形態の一例を示している。
なお、本発明に係る物品検査装置は、実施形態に係る重量選別機１だけでなく、重量選別機１以外の他の装置で構成されていてもよい。例えば、搬送ラインに交番磁界を発生させておき、交番磁界中を各品種の被検査物を通過させ、磁界を通過しているときの検波出力から金属が混入しているか否かを検出する金属検出機で構成されていてもよい。また、搬送される被検査物にＸ線を照射し、この照射したＸ線の透過量から被検査物中に異物が混入しているか否かを検出するＸ線異物検出装置で構成されていてもよい。
【００２８】
図１ないし図３に示すように、重量選別機１は、装置本体２と、搬送手段としての搬送部３と、投受光部４と、選別部５により構成されている。
【００２９】
重量選別機１は、生産ラインの一部を構成するベルトコンベアＢＣの後端部に設置され、所定間隔をおいて矢印Ａ方向に順次搬送されてくる被検査物Ｗの質量を測定するよう構成されている。そして、測定により得られた測定値を後述する記録セクション１２ｃに記録されている質量の上限基準値および下限基準値の双方と比較し、得られた測定値が基準範囲内にあるか否かを判定し、基準範囲内のものを良品とし、それ以外のものを不良品として選別するよう構成されている。
【００３０】
装置本体２は、通信手段としての通信部６と、規制手段としての規制部７と、表示手段としての表示部８と、電源部９、搬送制御部１１と、重量選別部１２と、重量選別機１の各種操作や各種設定を入力する操作部１３と、これらの各部を収納する収納筐体１４とを含んで構成される。
【００３１】
通信部６は、電源部９から供給される電源で動作する公知の通信ユニットで構成されており、収納筐体１４に収納され固定されている。
通信部６は、重量選別機１を操作する操作者の人体を通信媒体として、操作者に装着された端末Ｔとの間で、後述する操作者の操作項目に関する操作情報を通信するようになっている。この操作情報は、必要に応じて端末Ｔから送信し通信部６で受信することができ、通信部６から送信し端末Ｔで受信することもできる。
通信部６は、図４に示すように、アンテナとしてのアンテナセクション６ａと、受信セクション６ｂと、送信セクション６ｃと、入力セクション６ｄと、出力セクション６ｅと、記録セクション６ｆとを含んで構成されている。
【００３２】
アンテナセクション６ａは、図３に示すように、収納筐体１４の搬送部３側の側面に設けられており、平坦面を有している。この平坦面には、水滴や異物の浸入を防止するよう樹脂などで形成されたカバーなどの保護部材が設けられているが、樹脂膜などの保護処理が施された平坦面を搬送部３側の側面に露出させるようにしてもよい。このアンテナセクション６ａにおいては、人体、例えば、指先が平坦面に近接した状態または接触した状態になると、指先と平坦面との間に電界が形成されるようになっている。
【００３３】
受信セクション６ｂは、アンテナセクション６ａを介して端末Ｔから送られる操作情報を受信し、送信セクション６ｃは、アンテナセクション６ａを介して端末Ｔに向けて操作情報を送信するようになっている。入力セクション６ｄは、電源部９から電力を受けるとともに操作情報などの種々の情報が入力されるようになっており、出力セクション６ｅは、端末Ｔから送られる操作情報を、規制部７に向けて出力するようになっている。記録セクション６ｆは、必要な情報を記録するようになっている。
【００３４】
通信部６は、アンテナセクション６ａに形成された電界と、端末Ｔのアンテナセクションに形成された電界との間で、いわゆる容量結合させ、人体表面に生じた電界を信号として情報を伝達するよう構成されている。
通信部６においては、記録セクション６ｆに記録されている情報を端末Ｔに送信し、端末Ｔの記録セクションに記録させることができる。また、端末Ｔに記録されている情報を端末Ｔから受信し記録セクション６ｆに記録させることができる。
【００３５】
通信部６により通信される操作情報には、種々の情報が含まれている。例えば、操作情報には、操作者の操作項目に関する情報、操作者種別に関する属性情報、操作者に対応した認証情報、操作者が実行した操作に関する操作実行情報が含まれている。この操作実行情報は、通信により通信部６から端末Ｔに書き込まれる。
【００３６】
端末Ｔは、通信部６と同様に構成されており、図示しないアンテナセクションと、受信セクションと、送信セクションと、記録セクションと、これらを動作させる電源セクションとを含んで構成されている。この端末Ｔは、カード状に形成され、人体の任意の部位、例えば、図４に示す操作者の内ポケットに装着されている。
【００３７】
操作者の操作項目に関する情報として、例えば、担当者グループ１、担当者グループ２および管理者グループが挙げられる。これらの情報は、操作者が実施形態に係る重量選別機１を操作することができる操作内容の複数の項目、すなわち、複数の操作項目にアクセスすることができるアクセスレベルを表しており、操作者は担当者グループ１、担当者グループ２および管理者グループのいずれかのグループに属している。
【００３８】
担当者グループ１には、重量選別機１の操作が可能な複数の項目および操作が規制される項目が含まれている。担当者グループ１に属する操作者は、例えば、重量選別機１の動作確認、運転停止、品種切替の操作が許容される一方、検出感度変更、品種登録および保守の操作ができないよう規制されている。
なお、担当者グループ１に属する操作者は、検出感度変更、品種登録および保守の操作ができないもの、重量選別機１における被検査物Ｗの重量の検査に必要な多くの他の操作については規制されることはなく必要に応じて操作することはできる。
【００３９】
担当者グループ２は、担当者グループ１と同様、重量選別機１の操作が可能な項目および操作が規制される項目が含まれている。担当者グループ２に属する操作者は、例えば、重量選別機１の動作確認、運転停止、品種切替、検出感度変更の操作が許容される一方、品種登録および保守の操作ができないよう規制されている。
なお、担当者グループ２に属する操作者は、品種登録および保守の操作ができないもの、担当者グループ１と同様、重量選別機１における被検査物Ｗの重量の検査に必要な多くの他の操作については規制されることはなく必要に応じて操作することはできる。
【００４０】
管理者グループは、担当者グループ１や担当者グループ２と同様、重量選別機１の操作が可能な項目および操作が規制される項目が含まれている。管理者グループに属する操作者は、例えば、重量選別機１の動作確認、運転停止、品種切替、検出感度変更、品種登録、保守の操作が許容され、操作ができないよう規制される項目は設定されていない。したがって、管理者グループは、に属する操作者は、動作確認、運転停止、品種切替、検出感度変更、品種登録、保守の操作および重量選別機１における被検査物Ｗの重量の検査に必要な多くの他の操作について、規制されることはなく必要に応じて操作することができる。
【００４１】
操作者種別に関する属性情報として、例えば、後述する優先操作項目、操作者が操作の対象とすることができる操作対象機器および操作者が操作対象機器を操作するまでの行動記録が挙げられる。
操作対象機器は、例えば、第１重量選別機、第２重量選別機、金属検出装置、Ｘ線異物検出装置などの機器があり、属性としてこれらの機器の内少なくとも一つの機器が操作対象として指定される。操作者は、属性として指定された機器の操作が許容される。
行動記録は、操作者に必要とされる行動および操作者に対して制限が課される行動の記録を示しており、属性として所定の行動記録を満たしている操作者に対して、操作対象機器の操作が許容される。
【００４２】
操作者に必要とされる行動として、例えば、図５に示すように、機器を操作する前の入場ゲートにおける認証、エアシャワーの通過、第１ドアの通過などの行動や、機器を操作するための機器研修受講の終了などの行動が挙げられる。
操作者に対して制限が課される行動として、例えば、被検査物Ｗが食品や医薬品の場合に、機器を操作する前に非衛生な区域として通過後の行動が指定された行動指定区域を通過したという行動が挙げられる。このトイレなどの行動指定区域に入場した場合には、手洗いの通過、および、非常口などの出入口の通過ではなく、第２ドアの通過の行動経路をとることが義務付けられ、所定の行動をとるよう行動に制限が課される。
【００４３】
この行動記録は、例えば、入場ゲートにおける認証の場合、入場ゲート近傍の床面に設置された感知マットを通じて、通信部６と操作者に装着された前述の端末Ｔとの間の通信と同様にして、操作者に装着された前述の端末Ｔに実行された認証の記録することができる。
【００４４】
エアシャワーの通過、手洗いの通過、第１ドアおよび第２ドアの通過、行動指定区域への入場についても、入場ゲートにおける通信の場合と同様にして、それぞれの行動について前述の端末Ｔに記録することができる。各通過の場合、感知マット上に操作者が乗ったことをもって、エアシャワーを浴び、手洗いが行われたことを推定することができる。この行動記録は、通信部６と操作者に装着された前述の端末Ｔとの間の通信がなされる際に、通信部６で受信し規制部７で使用することができる。操作者は、属性として設定された前述の行動の記録を満たしている場合に機器の操作が許容される。
【００４５】
なお、この行動記録は、操作者種別に関する属性情報に直接含まれるものとして説明したが、本発明の物品検査装置においては、この行動記録を、操作者種別に関する属性情報以外の操作情報、すなわち操作者種別ではなく、操作者の操作に関する情報としてもよい。
例えば、操作者が行った行動の記録が、予め設定された行動内容から逸脱している場合に、規制部７により、所定の操作項目の操作、すなわち操作者の行動内容に対応する操作項目を規制するようにして、この行動記録を操作項目の規制の基準となる情報の一つとしてもよい。
【００４６】
操作者に対応した認証情報として、操作者を識別するために個別に設けられた認証符号が挙げられる。この認証符号として、例えば、１１１は操作者Ａを、１１２は操作者Ｂを認証するいわゆるＩＤが挙げられる。このＩＤ１１１やＩＤ１１２には、操作項目である担当者グループ１や担当者グループ２のようなアクセスレベルと対応させて識別させるようにしてもよい。
【００４７】
操作者が実行した操作に関する操作実行情報として、例えば、重量選別機１を操作した検査者の操作記録や、検査結果、不良となった被検査物Ｗを示すいわゆるＮＧ品の処置などの操作内容が挙げられる。この操作実行情報は、例えば、機器の操作に関する熟練度などを決める参照情報として利用される。
【００４８】
規制部７は、通信部６により通信される操作情報、例えば、操作者の操作項目に関する情報、操作者種別に関する属性情報、操作者に対応した認証情報などの操作情報に基づいて、操作者の操作項目を規制するよう構成されている。すなわち、操作情報に基づいて、操作者が担当者グループ１、担当者グループ２および管理者グループのいずれであるかの操作項目を識別し、識別した結果および予め記録されているテーブルに基づいて、操作者の操作項目である担当者グループ１、担当者グループ２および管理者グループのいずれかの操作以外の操作を制限する規制を実行するようになっている。
【００４９】
したがって、この規制部７は、操作項目を識別する識別セクション７ａと操作項目を規制する規制セクション７ｂとにより構成されている。
識別セクション７ａは、通信部６により通信される操作情報に含まれる操作者の操作項目、操作者種別に関する属性、操作者に対応した認証を識別して、識別結果を規制セクション７ｂに出力する。
規制セクション７ｂは、識別セクション７ａから送られる識別結果である操作項目、操作者種別に関する属性、操作者に対応した認証に基づいて、重量選別機１の操作内容や操作の実行を規制するようになっている。例えば、識別された操作者種別に関する属性が所定の属性から逸脱したものであるとき、操作の実行が行われないよう規制する。
【００５０】
予め設定されているテーブルは、後述の記録セクション１２ｃに記録されている。
このテーブルは、予め操作者毎に操作者に対応して設定されたもので、このテーブルには規制セクション７ｂにより規制する対象となる操作項目が含まれている。
この操作項目が含まれるテーブルには、少なくとも操作者の認証情報としてのＩＤ、操作者種別に関する属性情報としての操作項目が含まれている。具体的には、図６に示すように、左端から操作者のＩＤ、名前、担当者グループ１、担当者グループ２および管理者グループを示すアクセスレベル、優先操作項目１、２、３、操作対象機器となっている。
【００５１】
優先操作項目１、２、３は、重量選別機１を操作して被検査物Ｗの重量を検査する際の数多くの操作項目の中から優先的に操作できるものとして選択されて設定された項目を示している。重量選別機１を操作する操作者は、例えば、ＩＤの「鈴木〇美」操作者の場合、優先操作項目１に「ＵＳＢ出力」が設定されている。他の優先操作項目２、３も優先操作項目１と同様に、点検や品種登録などの優先操作項目を、操作者別に設定することができる。この設定により、操作項目の選択をきわめて簡単にすることができるようになる。
【００５２】
また、アクセスレベルである担当者グループ１、担当者グループ２および管理者グループについての操作項目が、テーブルとして設定される。これにより、規制セクション７ｂが、重量選別機１において、操作者に対して、操作できる操作項目および操作できない操作項目を規制することができる。また、操作対象機器におけるＡ、Ｂ、ＣおよびＤは、それぞれ、Ａが第１重量選別機、Ｂが第２重量選別機、Ｃが金属検出装置、ＤがＸ線異物検出装置のように対応している。
【００５３】
表示部８は、図１に示すように、装置本体２の搬送部３側の上端部に設けられており、例えば、液晶ディスプレイなどのタッチパネルで構成される。
このタッチパネルは、表示と入力の２つの機能を備えており、表示部８の外部から入力された画像情報を液晶ディスプレイの画面に表示するとともに、操作者がその画面に表示された絵などの点または領域に手で触れた際に、触れられた画面位置の情報を感知して外部へ情報信号として出力するよう構成されている。
【００５４】
表示部８においては、図７、図８に示すように、通信部６が受信した操作者種別に関する属性情報が、規制部７の識別セクション７ａにより複数の操作項目を含む属性情報であると識別されたとき、複数の操作項目が含まれる操作メニューを表示するようになっている。
【００５５】
図７に示すように、表示画面の右上には、現在日時および操作者が「山田〇子」であることが、表示されており、「山田〇子」操作者が重量選別機１を操作する適正な者であることが示される。
また、図７の操作メニューの表示は、テーブルで描かれており、左端から操作者のＩＤ、名前、アクセスレベルおよび操作項目となっている。
「山田〇子」操作者の場合、ＩＤが１１１であること、アクセスレベルが担当者グループ１であること、〇が表示されている操作項目「運転停止」、「品種切替」および「動作確認」が許容される操作項目であること、−が表示されている操作項目「検出感度変更」、「品種登録」および「保守」が規制される操作項目であり操作することができないことが表示されている。
【００５６】
このように、ＩＤ、名前、アクセスレベルおよび操作項目が表示されるので、操作者は、自分のＩＤ、アクセスレベルおよび操作項目を確認することができる。
なお、図示しないが、操作メニューの中に、優先操作項目１、２、３や操作対象機器を示すようにしてもよい。
また、図８に示すように、操作メニューの中に、ＩＤおよび行動記録を表示するようにしてもよい。この表示により、重量選別機１の操作を許容された操作者の行動記録が、日時、イベント、場所について一覧テーブルで表示されるので、自分の行動記録を容易に把握することができる。
【００５７】
この表示部８においては、被検査物Ｗの質量などの検査結果が表示されるとともに、他の必要な表示がなされる。例えば、被検査物Ｗの品種、測定範囲、測定速度、測定精度、検出感度、選択項目の待受け表示、重量選別機１に異常が発生した場合の警告や、点検要求などが必要に応じて表示される。
【００５８】
電源部９は、収納筐体１４に装着され、重量選別機１の各構成要素に電源を供給する公知の電源ユニットで構成されている。
【００５９】
搬送部３は、図１に示すように、助走コンベア３ａおよび秤量コンベア３ｂにより構成される。助走コンベア３ａは２つのローラ３ｃ、３ｄとこれらのローラに巻き付けられている無端状の搬送ベルト３ｅとを含んで構成される。秤量コンベア３ｂは２つのローラ３ｆ、３ｇとこれらのローラに巻き付けられている無端状の搬送ベルト３ｈとを含んで構成される。
搬送部３は、ベルトコンベアＢＣから矢印Ａ方向に流れてくる包装された生肉、魚、加工食品、医薬などの各種の被検査物Ｗを搬送するようになっている。搬送されてくる被検査物Ｗは助走コンベア３ａにより、姿勢などが安定状態になり、秤量コンベア３ｂにより荷重センサに載荷され、さらに選別部５に搬送されるようになっている。
【００６０】
投受光部４は、一対の投光部４ａおよび受光部４ｂにより構成され、助走コンベア３ａと秤量コンベア３ｂとの間に配置されている。例えば、投光部４ａは搬送ベルト３ｈの装置本体２側に位置し、受光部４ｂは搬送ベルト３ｈの他の側面で投光部４ａに対向するように位置し、被検査物Ｗが投光部４ａおよび受光部４ｂの間を通過すると被検査物Ｗにより受光部４ｂが遮光され、被検査物Ｗが搬入されたことを検出するようになっている。
また、検出信号を後述する質量検出セクション１２ｂおよび荷重センサ１２ａに出力するようになっている。
【００６１】
選別部５は、選別機構部５ａと、搬送コンベア５ｂとを含んで構成される。搬送コンベア５ｂは、ローラ５ｃおよびローラ５ｃに対向して配置される図示しないローラと、これらのローラに巻き付けられている無端状の搬送ベルト５ｄとを含んで構成される。
選別機構部５ａは、例えば、押し出し型の選別機構により構成されている。選別機構部５ａは、良品と不良品とを選別できるものであればよく、フリッパ機構、エアジェット機構およびドロップアウト機構などの何れかの選別機構で構成してもよい。
選別機構部５ａは、上流の秤量コンベア３ｂから搬送される被検査物Ｗを搬送コンベア５ｂで矢印Ｂ方向に搬送している間に、後述する判定セクション１２ｄの判定結果に基づいて被検査物Ｗに対して搬送ベルト５ｄの側面方向への押し出しやジェットエアーの吹き付けを行うようになっている。この選別機構部５ａは、判定結果が不良品の被検査物Ｗを搬送ベルト５ｄ上から排出し、判定結果が良品の被検査物Ｗと区別することにより選別を行っている。
【００６２】
搬送制御部１１は、図２に示すように、駆動モータ１１ａと、制御セクション１１ｂとを含んで構成される。制御セクション１１ｂは、検査結果に基づいて駆動モータ１１ａの駆動速度を調節できるようになっている。
【００６３】
重量選別部１２は、品質データを取得するための荷重センサ１２ａと、質量検出セクション１２ｂと、記録セクション１２ｃと、品質の良否を判定する判定セクション１２ｄとを含んで構成される。
荷重センサ１２ａは、電磁平衡機構、差動トランス機構および歪ゲージ機構などの何れかのはかり機構で構成される。電磁平衡機構では、天びんの片側に被検査物Ｗ、もう片側におもりとなる分銅を載せる代わりに、電気の力、すなわち電磁力を加えて、天びんを釣り合わせるようになっている。被検査物Ｗの重さにより、釣り合わせるのに必要な電気の量が変化することを利用し、天びんが釣り合ったとき、荷重センサ１２ａに生ずる電流を検知し、この電流の大きさに応じた信号を出力するようになっている。
【００６４】
電磁力は、投受光部４によって被検査物Ｗの秤量コンベア３ｂへの搬入が検知されてから所定時間ｔが経過したタイミングで加えられる。所定時間ｔは被検査物Ｗが秤量コンベア３ｂに搬入を開始してから秤量コンベア３ｂに完全に乗り移り、さらに荷重センサ１２ａから出力された信号が安定するまでに必要な時間で設定されている。例えば、所定時間ｔは、操作部１３からの入力により設定された秤量コンベア３ｂの搬送速度（ｍ／ｍｉｎ）および被検査物Ｗの搬送方向である矢印Ｂ方向に沿った長さ（ｍｍ）などの基準に基づいて決定される。
【００６５】
出力された信号は、質量検出セクション１２ｂに入力され、質量検出セクション１２ｂにおいて被検査物Ｗの質量が検出され、検出された質量は、質量信号として判定セクション１２ｄに出力される。
【００６６】
記録セクション１２ｃは、記録媒体の記録領域の一部で構成され、被検査物Ｗの品種に対応した被検査物Ｗの選別に必要な情報（例えば、質量の上限基準値および下限基準値、助走コンベア３ａおよび秤量コンベア３ｂの各速度（ｍ／ｓ）および搬送方向に沿った長さ（ｍｍ）、被検査物Ｗの搬送方向に沿った長さ（ｍｍ）秤量コンベア３ｂの搬出端から選別部５までの距離、被検査物Ｗの搬入間隔（ｍｍ）など）や荷重センサ１２ａによって取得された被検査物Ｗの品質データ、統計データ、アラーム来歴および点検来歴などのデータを記録するようになっている。
また、記録セクション１２ｃは、前述のような規制部７で使われる予め設定されているテーブル、操作者の操作項目に関する操作情報、操作者種別に関する属性情報、操作者に対応した認証情報などの、通信部６により通信された操作情報を記録するようになっている。
【００６７】
判定セクション１２ｄは、質量検出セクション１２ｂから出力された被検査物Ｗの質量の信号を受け、記録セクション１２ｃに予め記録されている質量の上限基準値および下限基準値を読み出し、被検査物Ｗの質量と上限基準値および下限基準値とを比較し上限基準値および下限基準値で決定される質量の許容範囲内に被検査物Ｗの質量が入っているか否かを判定する。判定した結果は、選別部５に出力される。さらに表示部８に出力され判定結果が表示され、記録セクション１２ｃに出力され判定結果が記録されるようになっている。
【００６８】
操作部１３は、図１に示すように、表示部８とともに装置本体２の搬送部３側の上端部に設けられ、表示部８の表示画面の下側部分にタッチパネルとして形成してもよい。またタッチパネルとして表示した操作部１３の左下側部分に「画面切換」の操作ボタンを表示し、この画面切換の操作ボタンをタッチすることにより表示部８の表示画面の一部に入力用のボタンからなる操作ボタンを表示してもよい。  
【００６９】
この操作部１３においては、被検査物Ｗの選別に必要な情報、例えば、助走コンベア３ａおよび秤量コンベア３ｂの各速度（ｍ／ｓ）および搬送方向に沿った長さ（ｍｍ）、被検査物Ｗの搬送方向に沿った長さ（ｍｍ）、被検査物Ｗに対する許容範囲の上限値Ｇａと下限値Ｇｂ、秤量コンベア３ｂの搬出端から選別部５までの距離、被検査物Ｗの搬入間隔（ｍｍ）などの選別情報を判定セクション１２ｄ、質量検出セクション１２ｂなどに設定させるよう操作ボタンなどの入力部位から入力できるようになっている。
【００７０】
本発明の実施形態に係る重量選別機１においては、各構成部分を制御する図示しないＣＰＵおよびこれらに構成要素を接続する構造で構成するようにしてもよい。例えば、重量選別機１における搬送部３、投受光部４、選別部５、表示部８、搬送制御部１１、重量選別部１２、操作部１３などの各構成要素はＣＰＵによって動作するよう構成してもよい。このＣＰＵの指令に基づいて、装置本体２内に格納された各構成要素に対応するよう設けられた制御プログラムを実行し、各構成要素を動作させるよう構成してもよい。
【００７１】
また、前述の各構成部分を制御する図示しないＣＰＵおよびこれらに構成部分を接続する構造を、重量選別機１の外部に配置したパーソナルコンピュータ、いわゆるＰＣで構成するようにしてもよい。この場合、ＰＣと重量選別機１との間はケーブルや無線通信で接続されるので、重量選別機１の装置本体２が、より小型化されるとともに、構成が簡単になる。また、ＰＣにより複数の重量選別機１を制御することができ、生産工場のシステムが統一され、高い精度で高い検査効率が得られるようになる。
【００７２】
次いで、重量選別機１に対する操作者の操作について図９、図１０のフローチャートを参照して説明する。
図９に示すように、操作者により重量選別機１の電源が投入されると（Ｓ１）、重量選別機１は、通信部６により通信がなされるよう通信待受け状態となる（Ｓ２）。この通信待受け状態のとき、表示部８に通信部６のアンテナセクション６ａに近接またはタッチするよう、「装置本体のアンテナ面に指先を近づけるかタッチしてください。」のように表示して、操作者に通信部６と端末Ｔとの間の通信を促すようにしてもよい。
【００７３】
続いて、操作者の指先が通信部６のアンテナセクション６ａに近接またはタッチすると（Ｓ３）、操作者の人体とアンテナセクション６ａとの間、人体の表面および操作者の人体と端末Ｔとの間にそれぞれ電界が形成される。そして各電界が容量結合し人体表面に生じた電界を信号として通信部６と端末Ｔとの間で通信が行われる。この通信により、前述の属性またはＩＤが含まれる操作情報が端末Ｔから通信部６に送信され（Ｓ４）、通信部６の受信セクション６ｂが、属性またはＩＤが含まれる操作情報を受信する（Ｓ５）。
【００７４】
次いで、受信した属性またはＩＤが適切なものか否かが規制部７の識別セクション７ａで判断される（Ｓ６）。例えば、受信した属性が操作者種別に関する属性情報を表すものとして許容されたものであるか、操作者種別に関する属性情報である操作項目が、記録セクション１２ｃに予め記録されているテーブルの情報に合致しているかが規制部７の識別セクション７ａで判断される。また、操作者種別の属性情報である行動記録が、操作対象機器に対して求められる行動記録を満たしているか否かや、操作者に対応した認証情報であるＩＤに基づいて、操作項目や操作対象機器について許容されているものか否かが、規制部７の識別セクション７ａで判断される。
【００７５】
ステップＳ６で、属性またはＩＤが許容されたものでない場合は、通信待受けステップＳ２に進み、通信待受け状態となり、再度の通信がなされ、ステップＳ６で再度属性またはＩＤが許容されたものでないと判断された場合は、表示部８に属性またはＩＤが許容されたものでないことが表示され機器の操作が規制される。
【００７６】
次いで、規制部により、操作者種別に関する属性情報である操作項目が、記録セクション１２ｃに予め記録されているテーブルの情報に基づいて規制される（Ｓ７）。
【００７７】
続いて、受信した操作情報に複数の操作項目が含まれているか否かが規制部７の識別セクション７ａで判断される（Ｓ８）。すなわち、図６に示す操作項目である「運転停止」、「品種切替」、「動作確認」、「検出感度変更」、「品種登録」、「保守」の内の複数が、これから重量選別機１を操作しようとする操作者の操作者種別に関する属性情報に含まれているか否かが判断される。
【００７８】
ステップＳ８で、操作項目である「運転停止」、「品種切替」、「動作確認」、「検出感度変更」、「品種登録」、「保守」の内の複数が操作者に許容されておらず、いずれか一つの操作項目のみが許容されている場合には、記号Ａで示す図１０の次のステップＳ２２に進む。
【００７９】
ステップＳ８で、複数の操作項目が含まれていると判断された場合、表示部８の表示画面の中央部に複数の操作項目が含まれる操作メニューが表示される（Ｓ９）。具体的には、図７に示すように、表示画面の右上には、現在日時および操作者が「山田〇子」であることが表示され、「山田〇子」操作者が重量選別機１を操作する適正な者であることが示される。また、操作メニューは、左端から操作者のＩＤ、名前、アクセスレベルおよび操作項目となっている。ＩＤが１１１であること、アクセスレベルが担当者グループ１であること、〇が表示されている操作項目「運転停止」、「品種切替」および「動作確認」が許容される操作項目であること、−が表示されている操作項目「検出感度変更」、「品種登録」および「保守」が規制される操作項目であり操作することができないことが表示される。
【００８０】
次いで、表示画面の操作メニューに表示された操作項目であるａ「運転停止」、ｂ「品種切替」、ｃ「動作確認」、ｄ「検出感度変更」、ｅ「品種登録」、ｆ「保守」の内の〇が記されている操作項目、すなわち許容された操作項目の内のいずれかを選択する選択の待受け状態となる（Ｓ１０）。許容された操作項目の内のいずれかが、表示画面への操作者のタッチにより選択されると、いずれの操作項目が選択されたかが判断される（Ｓ１１）。
【００８１】
次いで、ステップＳ１１で一つの許容された操作項目が選択されたと判断された場合、記号Ｂで示す図１０の次のステップＳ２１に進み、選択されたａ「運転停止」、ｂ「品種切替」、ｃ「動作確認」の内のいずれかの操作項目の作業が開始される。
【００８２】
次いで、各所定時間経過後にステップＳ２１またはステップＳ２２の各作業が終了したか否かが判断される（Ｓ２３）。作業が終了していないと判断された場合には、さらに所定時間経過後に作業が終了したか否かが判断される（Ｓ２３）。
作業が終了したと判断された場合には、続いて、通信部６により作業内容および作業結果が端末Ｔに送信され、端末Ｔの記録セクションに記録される（Ｓ２４）。または、作業内容および作業結果が装置本体２に記録される（Ｓ２４）。そして、他の操作項目の作業を行うか否かが判断される（Ｓ２５）。例えば、操作者の表示部８へのタッチにより、他の操作項目を行うことが選択された場合には、記号Ｄに進み、図９に示すステップＳ９の操作項目選択の待受け状態となる。ステップＳ２６で、他の操作項目を行うことが選択されなかった場合には、作業は終了する。
【００８３】
以上説明したように、実施形態に係る重量選別機１は構成されているので、以下のような効果が得られる。
すなわち、実施形態に係る重量選別機１は、搬送部３によって搬送される被検査物Ｗの品質データを取得し、予め設定された基準値と品質データとを比較して被検査物Ｗの品質の良否を検査するよう構成されている。そして、重量選別機１を操作する操作者が通信部６のアンテナセクション６ａに近接したときに、操作者の人体を通信媒体として操作者に装着された端末Ｔとの間で操作者の操作項目に関する情報を含む操作情報を通信するようになっている。この通信部６により通信された操作情報に基づいて操作者の操作項目を規制する規制部７を備えている。
【００８４】
その結果、実施形態に係る重量選別機１は、従来の重量選別機と比較して簡易な方法で確実に適正な操作者に操作をさせることができるという効果が得られる。すなわち、従来の重量選別機においては、操作者を認証をする場合、カードキー認証、指紋認証および網膜認証などの認証方法がとられているため、認証機構も比較的複雑な構成となるとともに、認証に手間がかかり全体の作業効率が低下してしまうという課題があった。
【００８５】
また、物品検査装置に操作者や検査者などの作業者が近づいたときに認証するものとして、車のキーレスエントリーや無線ＬＡＮなどの認証システムもあるが、複数の作業者が密集している食品工場では、作業者が近づいたときに認証するものの場合、物品検査装置の前にいる作業者のみを認証しようとすると、現場環境に合わせて、電波強度の調整といった作業が必要となり、また、電波強度を完全に調整しきれないので、意図しない作業者を認証してしまう可能性があり、誤認証の原因となってしまうおそれがあった。
【００８６】
これに対して、実施形態に係る重量選別機１は、人体を通信媒体として通信が実行されるので、操作者が重量選別機１の通信部６のアンテナセクション６ａに近接しないと認証が行われないので、近隣に存在する複数の作業者の中から意図した作業者を正確に認証することができる。また、アンテナセクション６ａに近接するだけで、通信手段と人体との間に電界が形成され、瞬時に操作情報の通信をすることができる。
【００８７】
特に、重量選別機１が、食品を扱う食品検査ラインに設置された場合、より効果が発揮される。すなわち、食品に対する衛生面から、操作者は、全身が露出しないよう、白衣、マスク、ゴーグル、手袋、長靴などの衛生用具を装着することが必要となる。この場合、指紋認証では手袋を外さなければならず、網膜認証ではゴーグルを外さなければならなくなり、認証が面倒なものとなってしまう。
【００８８】
重量選別機１の場合は、手袋を外す必要もなく、ゴーグルを外す必要もないので、極めて簡単な方法で適正な操作者に操作をさせることができるという効果が得られる。
また、操作者に装着された端末Ｔは、操作者の外部に露出している必要がなく、取り出す必要もないので、操作者の衣服の内側、例えば、図４に示すように、内ポケットに装着することができ、端末Ｔの落下や紛失のおそれがなくなるという効果が得られる。
また、端末Ｔは、腕や足などの人体の任意の部位に装着することができ、使い勝手が良好になるという効果が得られる。
【００８９】
重量選別機１の場合においては、通信部６により通信された操作情報に基づいて操作者の操作項目を規制する規制部７を備えているので、すなわち、アクセスレベルである担当者グループ１、担当者グループ２および管理者グループという操作者固有の認証以外の操作情報に基づいて、重量選別機１を操作する者の操作項目を規制することができる。
具体的には、担当者グループ１、担当者グループ２および管理者グループの操作項目を構成する「運転停止」、「品種切替」、「動作確認」、「検出感度変更」、「品種登録」、「保守」の内の操作者に許容された操作項目に基づいて規制することができる。
その結果、重量選別機１に、より適合したきめ細かな管理ができ、より確実に適正な操作者に重量選別機１を操作させることができるという効果が得られる。
【００９０】
また、規制部７が、通信部６により通信された操作情報に含まれる操作者種別に関する属性情報に基づいて操作項目を規制することができるので、重量選別機１が複数ある場合や、他の金属検出装置やＸ線異物検出装置がある場合など、各装置に対応した適正な操作者に操作させることができ、検出精度の向上や品質の安定の向上を図ることができるという効果が得られる。例えば、操作者の操作対象機器を特定する属性や、操作者の行動記録を属性とすることにより、各装置に適した者に操作を許容することができる。他方、行動記録の識別により装置の操作に適さない者を、操作させないよう規制部７により規制することもでき、検査などの品質の向上を図ることができるという効果が得られる。
【００９１】
操作者種別に関する属性情報が、複数の操作項目を含む属性情報であるとき、表示部８に、複数の操作項目が含まれる操作メニューを表示するようになっているので、操作者は、自分の属性を容易に把握することができる。また、表示された複数の操作項目が含まれる担当者グループ１、担当者グループ２および管理者グループから操作しようとする操作項目を簡単に選択することができるという効果が得られる。この場合に、操作者の個別の認証を必要としないので、簡単な方法で、適正な者に重量選別機１を操作させることができる。
【００９２】
また、図６のテーブルに示すように、操作者種別に関する属性情報に、優先操作項目１、２、３のような優先操作項目が含まれていると、ワンタッチで簡単に自己の操作項目を選択することができるという構成をとることも可能となる。
この優先操作項目は、重量選別機１を操作して被検査物Ｗの重量を検査する際の数多くの操作項目の中から優先的に操作できるものとして選択して表示することができる。したがって、重量選別機１を操作する操作者は、例えば、優先操作項目１に「ＵＳＢ出力」が表示されていると、操作者は、この「ＵＳＢ出力」の表示をタッチすることにより、重量選別機１がＵＳＢ出力の操作を許容することになり、操作者は、ＵＳＢメモリを所定の場所に装着して、重量選別機１のデータを回収することができる。
したがって、操作者は、操作者の操作項目を規制する規制部７の規制セクション７ｂによって、選択された優先操作項目の操作のみを他の操作項目に優先して実行することができる。
【００９３】
この構成により、操作者は、数多くある操作項目の中からデータを回収に関する操作項目を選択する煩わしさから解放され、ワンタッチで簡単にデータを回収することができる。他の優先操作項目２、３も優先操作項目１と同様に、点検や品種登録などの優先操作項目を、操作者別に設定することにより、操作項目の選択をきわめて簡単にすることができる構成をとることもできる。
【００９４】
この優先操作項目を重量選別機１の表示部８に表示して、操作者が優先操作項目の操作を実行する例について以下説明する。
この優先操作項目の操作は、図９および図１０のフローチャートに必要なステップを組み込むことにより簡単に実行することができる。
具体的には、図９に示すステップＳ６で、受信した属性またはＩＤが適切なものと判断されたのち、ステップＳ７の前に、属性またはＩＤに含まれている操作情報の中に優先操作項目が含まれているか否かを規制部７の識別セクション７ａで判断する。優先操作項目が含まれていない場合には、ステップＳ７に進む。
【００９５】
他方、優先操作項目が含まれていた場合には、図１１に示すように、表示部８の表示画面の右上に、適切な属性またはＩＤが識別された「鈴木〇美」操作者の名前と、表示画面の中央部にＩＤ、名前、アクセスレベルおよび優先操作項目からなる操作メニューが表示される。なお、この「鈴木〇美」操作者は、図６に示すテーブルに含まれており、予め操作者毎に操作者に対応して設定されている。そして、表示画面に表示された優先操作項目が選択される選択の待受け状態となり、優先操作項目が選択されると、選択された優先操作項目の操作が開始され、図１０に示すステップＳ２３に進む。
なお、操作メニューが表示された後、優先操作項目が単一か複数かを判断し、単一であった場合には、優先操作項目を選択することなく優先操作項目の操作を開始して、図１０に示すステップＳ２３に進むようにしてもよい。
このようにして、操作者が優先操作項目の操作を簡単に実行することができる。
【００９６】
また、通信部６により通信された操作情報に含まれる操作者に対応した認証情報に基づいて操作項目を規制することも可能となり、規制方法の選択の態様が広くなり、機器の操作や機器の管理方法の幅が広がるという効果が得られる。
【００９７】
また、通信部６は、操作者が実行した操作に関する操作実行情報を行動記録として操作者に装着された端末Ｔに書き込むよう通信することもできるので、操作者に関する機器の操作の熟練度や適正さを把握することができる。端末Ｔに書き込まれた操作実行情報は、通信部６との通信により、重量選別機１で活用することができ、より適正な操作者に操作させることができるという効果が得られる。
【００９８】
また、表示部８には、操作者に装着された端末Ｔとの間で通信された操作情報に含まれる操作者の行動記録の内容が表示されるので、操作者は、自己の行動記録を容易に把握することができる。
【００９９】
また、規制部７は、操作者に装着された端末Ｔとの間で通信された操作情報に含まれる操作者の行動記録が、予め定められた行動内容から逸脱しているとき、全ての操作項目を実行させないよう規制することができる。その結果、機器の操作に不敵切な者を操作させないよう規制することができ、より品質の高い検出を実行することができるという効果が得られる。
【０１００】
実施形態に係る重量選別機１においては、通信部６を装置本体２に設置し、アンテナセクション６ａを操作者がタッチできるよう装置本体２に設けた構造で構成した場合について説明した。しかしながら、本発明に係る物品検査装置においては、通信部６のような構造以外の構造で構成するようにしてもよい。例えば、物品検査装置の近傍の床面に感知マットのようなセンサを設置し、操作者がその感知マット上に載ることで、人体を通信媒体とする通信を行う構造で構成するようにしてもよい。
【産業上の利用可能性】
【０１０１】
以上説明したように、本発明によれば、人体を通信媒体として通信するという簡易な方法で確実に適正な操作者に操作をさせることができる物品検査装置を提供することができ、広く物品の品質を検査する装置、例えば、各種の重量選別機、Ｘ線異物検出装置、金属検出装置などの品質を維持する検査装置に有用である。
【符号の説明】
【０１０２】
１  重量選別機（物品検査装置）
２  装置本体
３  搬送部（搬送手段）
４  投受光部
５  選別部
６  通信部（通信手段）
６ａ  アンテナセクション（アンテナ）
７  規制部（規制手段）
８  表示部（表示手段）
９  電源部
１１  搬送制御部
１２  重量選別部
１３  操作部
１４  収納筐体
ＩＤ（認証情報）
Ｔ  端末
【図１】
2014071072.tif 000003
【図２】
2014071072.tif 000004
【図３】
2014071072.tif 000005
【図４】
2014071072.tif 000006
【図５】
2014071072.tif 000007
【図６】
2014071072.tif 000008
【図９】
2014071072.tif 000009
【図１０】
2014071072.tif 000010
【図７】
2014071072.tif 000011
【図８】
2014071072.tif 000012
【図１１】
2014071072.tif 000013